(57)【要約】【課題】より簡易に充電式車両の充電管理を行うことができる端末装置、車両管理情報生成方法および車両管理情報生成プログラムを提供する。【解決手段】実施形態によれば、端末装置の使用状況から充電式車両の使用予定に関する情報を抽出する使用予定抽出部と、前記使用予定に関する情報に基づいて、前記充電式車両の充電管理に必要な車両管理情報を生成する車両管理情報生成部と、を備える端末装置が提供される。【選択図】図１
2015022441.tif 000002
【特許請求の範囲】
【請求項１】
端末装置の使用状況から充電式車両の使用予定に関する情報を抽出する使用予定抽出部と、
前記使用予定に関する情報に基づいて、前記充電式車両の充電管理に必要な車両管理情報を生成する車両管理情報生成部と、を備える端末装置。
【請求項２】
前記車両管理情報は、少なくとも、
前記充電式車両の使用予定日時に関する情報と、
前記充電式車両の使用予定距離に関する情報と、を含む、請求項１に記載の端末装置。
【請求項３】
前記車両管理情報は、さらに使用車種に関する情報を含む、請求項２に記載の端末装置。
【請求項４】
前記車両管理情報生成部は、予め用意された、前記使用予定に関する情報と前記車両管理情報との関係を示す変換テーブルに基づいて、前記車両管理情報を生成する、請求項１に記載の端末装置。
【請求項５】
前記車両管理情報生成部は、ユーザにより設定された、または、設定変更を加えられた、前記使用予定に関する情報と前記車両管理情報との関係を示す変換テーブルに基づいて、前記車両管理情報を生成する、請求項１に記載の端末装置。
【請求項６】
生成された前記車両管理情報を表示する表示部を備える、請求項１に記載の端末装置。
【請求項７】
前記使用予定抽出部は、当該端末装置にインストールされたアプリケーションから、前記使用予定に関する情報を抽出する、請求項１に記載の端末装置。
【請求項８】
前記使用予定抽出部は、当該端末装置にインストールされたスケジュール管理アプリケーション、インターネットブラウザアプリアプリケーション、または  ＳＮＳアプリケーションから、前記使用予定に関する情報を抽出する、請求項１に記載の端末装置。
【請求項９】
端末装置の使用状況から充電式車両の使用予定に関する情報を抽出するステップと、
前記使用予定に関する情報に基づいて、前記充電式車両の充電管理に必要な車両管理情報を生成するステップと、を備える車両管理情報生成方法。
【請求項１０】
端末装置の使用状況から充電式車両の使用予定に関する情報を抽出するステップと、
前記使用予定に関する情報に基づいて、前記充電式車両の充電管理に必要な車両管理情報を生成するステップと、をコンピュータに実行させる車両管理情報生成プログラム。
【請求項１１】
前記車両管理情報は、少なくとも、
前記充電式車両の使用予定日時に関する情報と、
前記充電式車両の使用予定距離に関する情報と、を含む、請求項１０に記載の車両管理情報生成プログラム。
【発明の詳細な説明】
【技術分野】
【０００１】
本発明の実施形態は、端末装置、車両管理情報生成方法および車両管理情報生成プログラムに関する。
【背景技術】
【０００２】
近年の電気自動車やハイブリッド自動車の普及に伴い、これらの充電を管理するＨＥＭＳ（Home Energy Management System）が新たなサービスとして始められている。しかしながら、従来のＨＥＭＳでは、ＨＥＭＳに対して、能動的にユーザが使用予定を設定する必要があり、ユーザにとって手間である。また、ユーザが使用予定を設定し忘れた場合、必要なときに充電が完了していない、という事態も想定される。
【先行技術文献】
【特許文献】
【０００３】
【特許文献１】特開２００１−２５８１７７号公報
【発明の概要】
【発明が解決しようとする課題】
【０００４】
より簡易に充電式車両の充電管理を行うことができる端末装置、車両管理情報生成方法および車両管理情報生成プログラムを提供する。
【課題を解決するための手段】
【０００５】
実施形態によれば、端末装置の使用状況から充電式車両の使用予定に関する情報を抽出する使用予定抽出部と、前記使用予定に関する情報に基づいて、前記充電式車両の充電管理に必要な車両管理情報を生成する車両管理情報生成部と、を備える端末装置が提供される。
【図面の簡単な説明】
【０００６】
【図１】第１の実施形態に係るＨＥＭＳの概略構成を示すブロック図。
【図２】端末装置１およびＨＥＭＳサーバ２の内部構成を示すブロック図。
【図３】記憶装置１５に書き込まれる車両管理情報のデータ構造の一例を示す図。
【図４】ＨＥＭＳの処理動作の一例を示すシーケンス図。
【図５】表示部１６に表示される車両管理情報の一例を示す図。
【発明を実施するための形態】
【０００７】
以下、実施形態について、図面を参照しながら具体的に説明する。
【０００８】
図１は、第１の実施形態に係るＨＥＭＳの概略構成を示すブロック図である。このＨＥＭＳはＶ２Ｈ（Vehicle to Home）管理などを行う。ＨＥＭＳは、端末装置１と、ＨＥＭＳサーバ２とを備えている。端末装置１は、当該家庭内のユーザが使用するものであり、例えばパーソナルコンピュータ、タブレット、スマートフォンといった電子機器である。なお、同図では３つの端末装置１を描いているが、その数に制限はない。ＨＥＭＳサーバ２は、例えば家庭に１台設置される。各端末装置１は無線ＬＡＮなどによりＨＥＭＳサーバ２と通信可能である。
【０００９】
図２は、端末装置１およびＨＥＭＳサーバ２の内部構成を示すブロック図である。簡略化のために、同図では１つの端末装置１のみを描いている。
【００１０】
端末装置１はＨＥＭＳサーバ２と通信するための通信部１１を有する。
【００１１】
また、端末装置１は、使用予定抽出部１２と、車両管理情報生成部１３と、記憶制御部１４とを有する。これらの各部は、端末装置１のプロセッサ（不図示）が車両管理情報生成プログラムを実行することにより車両管理情報生成アプリケーションとして実現されてもよい。
【００１２】
使用予定抽出部１２は、端末装置１の使用状況からイベントを検出し、検出されたイベントのうち充電式車両を使用すると考えられる情報を、充電式車両の使用予定に関する情報として抽出する。充電式車両とは、電気自動車（Electric Vehicle：ＥＶ）、プラグインハイブリッド自動車（Plug-in Hybrid Vehicle：ＰＨＶ）といった自動車のみならず、電動アシスト付き自転車や電動バイクであってもよい。
【００１３】
車両管理情報生成部１３は、抽出された使用予定に関する情報から、充電式車両の充電管理に必要な車両管理情報を生成する。車両管理情報は、少なくとも充電式車両の使用予定日時および使用予定距離を含むのが望ましい。使用予定日時より前に、使用予定距離を走行できるだけの充電をしておく必要があるためである。また、使用車両の候補が複数ある場合（例えば、家庭内で複数の車両を保有している場合）には、車両管理情報はさらに使用車種を含んでいるのが望ましい。
【００１４】
記憶制御部１４は生成された車両管理情報を記憶装置１５に書き込む。なお、図１では記憶装置１５が端末装置１内にある例を示しているが、記憶装置１５はＨＥＭＳサーバ２内にあってもよい。この場合、記憶制御部１４は通信部１１を介してＨＥＭＳサーバ２内の記憶装置１５に車両管理情報を書き込む。あるいは、記憶装置１５はいわゆるクラウド方式であってもよく、この場合も、記憶制御部１４は通信部１１を介して外部の記憶装置１５に車両管理情報を書き込む。
【００１５】
図３は、記憶装置１５に書き込まれる車両管理情報のデータ構造の一例を示す図である。車両管理情報は、管理ＩＤをキーとして、使用車種、使用予定日時、使用予定距離およびオーナー情報を含んでいる。オーナー情報は端末装置１のユーザを特定するための情報である。この車両管理情報は端末装置１ごとに生成される。
【００１６】
なお、車両管理情報の生成手法の具体例は後述する。
【００１７】
図２に戻り、端末装置１は表示部１６を有してもよい。表示部１６は、車両管理情報生成アプリケーションが起動していることを表示したり、生成された車両管理情報を表示したりする。
【００１８】
また、端末装置１には、スケジュール管理アプリケーション１７、インターネットブラウザアプリケーション１８、ＳＮＳ（Social Networking Service）アプリケーション１９など、種々のアプリケーションがインストールされていてもよい。
【００１９】
一方、ＨＥＭＳサーバ２は、端末装置１と通信するための通信部２１と、マージ部２２と、スケジュール情報生成部２３と、記憶制御部２４と、充電制御部２５と、記憶装置２６とを有する。
【００２０】
マージ部２２は、複数の端末装置１がある場合に、各端末装置１により生成された車両管理情報を取得し、必要に応じてマージする。ここでのマージとは、ある端末装置１により生成された車両管理情報におけるある使用予定と、他の端末装置１により生成された車両管理情報におけるある使用予定とが一致する場合に、これらを統合（マージ）することをいう。マージされた車両管理情報は、記憶制御部２４により記憶装置２６に書き込まれる。
【００２１】
スケジュール情報生成部２３は、記憶装置２６に書き込まれた（マージされた）車両管理情報と、充電式車両のステータス情報（充電式車両の残電力など）とに基づいて、車両管理スケジュール情報を生成する。車両管理スケジュール情報は、どの充電式車両をいつ充電すべきかを示すスケジュールである。生成された車両管理スケジュール情報は、記憶制御部２４により記憶装置２６に書き込まれる。
【００２２】
充電制御部２５は、記憶制御部２４に書き込まれた車両管理スケジュール情報に沿って、充電式車両の充電を行う。
【００２３】
図４は、ＨＥＭＳの処理動作の一例を示すシーケンス図である。まず、端末装置１の使用予定抽出部１２は、端末装置１の使用状況から充電式車両の使用予定に関する情報を抽出する（ステップＳ１）。この際に、使用予定抽出部１２は、端末装置１にインストールされているアプリケーションから使用予定を抽出してもよい。
【００２４】
例えば、使用予定抽出部１２は、スケジュール管理アプリケーション１７に登録されている、いつ、どこに行くのかの情報を抽出する。そして、使用予定抽出部１２は、目的や行き先を考慮して、充電式車両を使用すると考えられる場合に、抽出した情報を保持する。例えば、目的が「釣り」である場合や、行き先が駅から離れている場合などは、充電式車両を使用すると考えられる。
【００２５】
あるいは、使用予定抽出部１２は、インターネットブラウザアプリケーション１８の使用履歴を参照し、ある場所へのルート検索結果を、充電式車両の使用予定に関する情報として抽出してもよい。また、使用予定抽出部１２は、ＳＮＳアプリケーション１９の使用履歴を参照し、友人との対話状況などから充電式車両の使用予定を抽出してもよい。また、使用予定抽出部１２は、該当イベント候補を検出した際にユーザに対して使用予定を入力するよう促し、ユーザから使用予定の入力を受け付けることにより、使用予定に関する情報を抽出してもよい。
【００２６】
以上のようにして充電式車両の使用予定に関する情報が抽出されると、車両管理情報生成部１３は、使用予定に関する情報を車両管理情報に変換することにより、車両管理情報を生成する（ステップＳ２）。
【００２７】
より具体的には、車両管理情報生成部１３は、使用予定に関する情報から、使用予定日時を取得、もしくは導出する。また、車両管理情報生成部１３は、使用予定に関する情報から、使用予定距離を取得、もしくは導出する。使用予定に関する情報が行き先を含んでいる場合、車両管理情報生成部１３は、予め登録されている自宅から、当該行き先までの距離を、地図データ（不図示）などを参照して算出する。使用予定距離は、例えば自宅と行き先との間の往復距離と、所定のマージンとを加えた距離であってもよい。使用予定に関する情報が月日と午前／午後／終日などの時間帯に関する情報を含んでいる場合、例えば時間帯に関してはイベント種に応じて時間帯を導出する。買い物で午前中の予定等であれば開店時間帯の前後交通にかかる時間帯をマージンとして算出された時間帯であってもよい。
【００２８】
また、使用される充電式車両の候補が複数ある場合、使用予定に関する情報やユーザに応じて、１つの車種を選択する。例えば、家族が大型車両Ａおよび小型車両Ｂを保有している場合、車両管理情報生成部１３は、使用予定に関する情報に基づき、使用用途が近所への買い物であれば小型車両Ｂを選択し、使用用途が遠方への家族旅行であれば大型車両Ａを選択する。
【００２９】
さらに、車両管理情報生成部１３は、端末装置１のユーザからオーナー情報を取得する。
【００３０】
なお、使用予定に関する情報から、特定の車両管理情報が生成されるよう、車両管理情報生成部１３は変換テーブルを保持していてもよい。変換テーブルは、使用予定に関する情報と、車両管理情報との関係を示すものであり、予め用意されたものであってもよいし、ユーザが任意にカスタマイズ設定できるものであってもよいし、予め用意されたものをユーザが設定変更を加えたものであってもよい。変換テーブルを設けることによりユーザの利便性が向上する。
【００３１】
車両管理情報が生成されると、記憶制御部１４は、各使用予定に固有の管理ＩＤを付して、車両管理情報を記憶装置１５に書き込む（ステップＳ３）。これにより、ＨＥＭＳサーバ２が車両管理情報にアクセスできるようになる。
【００３２】
さらに、端末装置１の表示部１６は生成された車両管理情報を表示してもよい。図５は、表示部１６に表示される車両管理情報の一例を示す図である。図示のように生成された車両管理情報をユーザに提示することで、ユーザは車両の使用予定が正しく抽出されたか否かを確認できる。仮に何らかの誤りがあった場合、車両管理情報の全部または一部を手動で修正できるようにしてもよい。
【００３３】
なお、以上に説明した端末装置１による車両管理情報の生成は、例えば、ユーザが車両管理情報生成アプリケーションを起動した際に実行されるようにしてもよいし、本アプリケーションを常時起動しておき、定期的に、あるいは、ユーザからの指示に応じて実行されるようにしてもよい。
【００３４】
続いて、ＨＥＭＳサーバ２側の処理動作について説明する。ＨＥＭＳサーバ２のマージ部２２は、記憶装置１５に書き込まれた車両管理情報を取得する。ＨＥＭＳが複数の端末装置１を含む場合、マージ部２２は複数の車両管理情報を取得する。そして、マージ部２２は、複数の車両管理情報において、重複する使用予定の有無を判断する。例えば、ある端末装置１により生成された車両管理情報における使用予定の使用車種、使用予定日時および使用予定距離が、他の端末装置１により生成された車両管理情報における使用予定の使用車種、使用予定日時および使用予定距離と一致する場合、両使用予定は同一と判断される。
【００３５】
このような場合、マージ部２２は、重複している同一の使用予定を１つにマージする（ステップＳ１１）。また、同一の予定と判断されずに予定の衝突として判断された場合は、可能な場合は代替車で新たな車両管理情報を再生成したり、情報オーナーにアラートを通知したりしてもよい。このように、マージされた車両管理情報は、記憶制御部２４により記憶装置２６に記憶される。
【００３６】
次いで、スケジュール情報生成部２３は、記憶装置２６から、（マージされた）車両管理情報と、充電式車両のステータス情報とを取得する。ステータス情報は、充電式車両から取得された、当該充電式車両の残電力や走行可能距離といった充電状態に関する情報などを含む。そして、スケジュール情報生成部２３は、車両管理情報および充電式車両のステータス情報に基づいて、車両管理スケジュール情報を生成する（ステップＳ１２）。
【００３７】
より具体的には、スケジュール情報生成部２３は、充電式車両の充電状態を考慮し、使用予定日時より前に使用予定距離を走行できるだけの充電するためには、いつ当該充電式車両を充電すればよいか、を判断して車両管理スケジュールを生成する。生成された車両管理情報は、記憶制御部２４により記憶装置２６に記憶される。
【００３８】
そして、充電制御部２５は、記憶制御部２４に書き込まれた車両管理スケジュール情報に沿って、充電式車両の充電を行う（ステップＳ１３）。
【００３９】
このようにして、図２のＨＥＭＳにより、適切に充電式車両の充電が管理される。
【００４０】
以下、ＨＥＭＳの使用例を説明する。ユーザが端末装置１のスケジュール管理アプリケーション１７に「釣り」の予定を登録したとする。この場合、使用予定抽出部１２はこの釣りの予定を抽出する。
【００４１】
そして、車両管理情報生成部１３には、変換テーブルとして、「釣り」のイベントは充電式車両Ｘを使用することが登録されていたとする。この場合、車両管理情報生成部１３は、変換テーブルを参照して使用車種を充電式車両Ｘに特定し、スケジュール管理アプリケーション１７から抽出された予定から、使用予定日時および使用予定距離を取得する。また、車両管理情報生成部１３は、端末装置１のユーザ情報をオーナー情報として取得する。このようにして生成された車両管理情報は記憶装置１５に記憶され、ＨＥＭＳサーバ２により参照される。
【００４２】
ＨＥＭＳサーバ２のマージ部２２は、上記端末装置１により生成された車両管理情報における、「釣り」での充電式車両の使用予定と、家族の端末装置１により生成された車両管理情報における、同じ「釣り」での充電式車両の使用予定とが同一と判断し、１つに統合する。そして、スケジュール情報生成部２３は、ステータス情報に基づいて使用車種の現在の充電状態を取得し、「釣り」でこの充電式車両を使用して使用予定距離を走行できるよう、充電のタイミングを示すスケジュール情報を生成する。このスケジュール情報にしたがって、充電制御部２５は、「釣り」での充電式車両の使用予定日時までに、その行き先まで走行できるよう、充電を行う。
【００４３】
このように、本実施形態では、端末装置１から充電式車両の使用予定を抽出し、車両管理情報を生成する。そのため、ユーザ自身がＨＥＭＳに使用予定を設定する必要がなく、簡易に充電式車両の充電管理を行うことができる。
【００４４】
上述した実施形態で説明したＨＥＭＳの少なくとも一部は、ハードウェアで構成してもよいし、ソフトウェアで構成してもよい。ソフトウェアで構成する場合には、ＨＥＭＳの少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００４５】
また、ＨＥＭＳの少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００４６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００４７】
以上の実施形態に基づいて、例えば以下のような発明が想到される。
【００４８】
（付記１）
端末装置（１）の使用状況から充電式車両の使用予定に関する情報を抽出する使用予定抽出部（１２）と、
前記使用予定に関する情報に基づいて、前記充電式車両の充電管理に必要な車両管理情報を生成する車両管理情報生成部（１３）と、を備える端末装置（１）。
【００４９】
（付記２）
前記車両管理情報は、少なくとも、
前記充電式車両の使用予定日時に関する情報と、
前記充電式車両の使用予定距離に関する情報と、を含む、付記１に記載の端末装置（１）。
【００５０】
（付記３）
前記車両管理情報は、さらに使用車種に関する情報を含む、付記２に記載の端末装置（１）。
【００５１】
（付記４）
前記車両管理情報生成部（１３）は、予め用意された、もしくは、ユーザにより設定された、または、設定変更を加えられた、前記使用予定に関する情報と前記車両管理情報との関係を示す変換テーブルに基づいて、前記車両管理情報を生成する、付記１に記載の端末装置（１）。
【００５２】
（付記５）
生成された前記車両管理情報を表示する表示部（１６）を備える、付記１に記載の端末装置（１）。
【００５３】
（付記６）
前記使用予定抽出部（１３）は、当該端末装置（１）にインストールされたアプリケーションから、前記使用予定に関する情報を抽出する、付記１に記載の端末装置（１）。
【００５４】
（付記７）
前記使用予定抽出部（１３）は、当該端末装置にインストールされたスケジュール管理アプリケーション（１７）、インターネットブラウザアプリアプリケーション（１８）、または  ＳＮＳアプリケーション（１９）から、前記使用予定に関する情報を抽出する、付記１に記載の端末装置（１）。
【００５５】
（付記８）
端末装置（１）の使用状況から充電式車両の使用予定に関する情報を抽出するステップ（Ｓ１）と、
前記使用予定に関する情報に基づいて、前記充電式車両の充電管理に必要な車両管理情報を生成するステップ（Ｓ２）と、を備える車両管理情報生成方法。
【００５６】
（付記９）
前記車両管理情報は、少なくとも、
前記充電式車両の使用予定日時に関する情報と、
前記充電式車両の使用予定距離に関する情報と、を含む、付記８に記載の車両管理情報生成方法。
【００５７】
（付記１０）
前記車両管理情報は、さらに使用車種に関する情報を含む、付記９に記載の車両管理情報生成方法。
【００５８】
（付記１１）
前記車両管理情報を生成するステップ（Ｓ２）では、予め用意された、もしくは、ユーザにより設定された、または、設定変更を加えられた、前記使用予定に関する情報と前記車両管理情報との関係を示す変換テーブルに基づいて、前記車両管理情報を生成する、付記８に記載の車両管理情報生成方法。
【００５９】
（付記１２）
生成された前記車両管理情報を表示するステップ（Ｓ４）を備える、付記８に記載の車両管理情報生成方法。
【００６０】
（付記１３）
前記使用予定に関する情報を抽出するステップ（Ｓ１）では、前記端末装置（１）にインストールされたアプリケーションから、前記使用予定に関する情報を抽出する、付記８に記載の車両管理情報生成方法。
【００６１】
（付記１４）
前記使用予定に関する情報を抽出するステップ（Ｓ１）では、前記端末装置（１）にインストールされたスケジュール管理アプリケーション（１７）、インターネットブラウザアプリアプリケーション（１８）、または  ＳＮＳアプリケーション（１９）から、前記使用予定に関する情報を抽出する、付記８に記載の車両管理情報生成方法。
【００６２】
（付記１５）
端末装置（１）の使用状況から充電式車両の使用予定に関する情報を抽出するステップ（Ｓ１）と、
前記使用予定に関する情報に基づいて、前記充電式車両の充電管理に必要な車両管理情報を生成するステップ（Ｓ２）と、をコンピュータに実行させる車両管理情報生成プログラム。
【００６３】
（付記１６）
前記車両管理情報は、少なくとも、
前記充電式車両の使用予定日時に関する情報と、
前記充電式車両の使用予定距離に関する情報と、を含む、付記１５に記載の車両管理情報生成プログラム。
【００６４】
（付記１７）
前記車両管理情報は、さらに使用車種に関する情報を含む、付記１６に記載の車両管理情報生成プログラム。
【００６５】
（付記１８）
前記車両管理情報を生成するステップ（Ｓ２）では、予め用意された、もしくは、ユーザにより設定された、または、設定変更を加えられた、前記使用予定に関する情報と前記車両管理情報との関係を示す変換テーブルに基づいて、前記車両管理情報を生成する、付記１５に記載の車両管理情報生成プログラム。
【００６６】
（付記１９）
生成された前記車両管理情報を表示するステップ（Ｓ４）をさらにコンピュータに実行させる、付記１５に記載の車両管理情報生成方法。
【００６７】
（付記２０）
前記使用予定に関する情報を抽出するステップ（Ｓ１）では、前記端末装置（１）にインストールされたアプリケーションから、前記使用予定に関する情報を抽出する、付記１５に記載の車両管理情報生成方法。
【符号の説明】
【００６８】
１  端末装置
１１  通信部
１２  使用予定抽出部
１３  車両管理情報生成部
１４  記憶制御部
１５  記憶装置
１６  表示部
１７  スケジュール管理アプリケーション
１８  インターネットブラウザアプリケーション
１９  ＳＮＳアプリケーション
２  ＨＥＭＳサーバ
２１  通信部
２２  マージ部
２３  スケジュール情報生成部
２４  記憶制御部
２５  充電制御部
２６  記憶装置
【図１】
2015022441.tif 000003
【図２】
2015022441.tif 000004
【図３】
2015022441.tif 000005
【図４】
2015022441.tif 000006
【図５】
2015022441.tif 000007